(57)【特許請求の範囲】
【請求項１】
イオンのリボンビームを通過させる所定の間隔で並列に複数配置された直線状の多孔板電極のスリットと、該スリットを通過した前記リボンビームのビーム軸に対して直交する方向の第１磁界を形成する第１磁石と、
前記ビーム軸に沿って前記第１磁石に連続して直列配置され、前記ビーム軸に直交しかつ前記第１磁界と平行で逆向きの第２磁界を形成する第２磁石と、
前記第１、第２磁界内に形成され、前記第１磁界により偏向された第１湾曲経路から、前記第２磁界により前記第１磁界とは逆方向に偏向された第２湾曲経路に沿って、前記リボンビーム中の選択された所望の質量のイオンが通過できるように、前記第１、第２湾曲経路を有する複数のビーム経路を形成するための複数のコリメータ壁とを有する前記多孔板電極に続いて配置されるイオン通し孔を形成した質量分離電極を含み、
前記複数のコリメータ壁により、前記リボンビームを複数のイオンビーム群に分割して前記複数のビーム経路ごとに質量分離するために、
前記スリットの配置間隔に対応して形成される前記質量分離電極のイオン通し孔に対して、前記ビーム軸に沿って直列配置された前記第１、第２磁石の組は、それぞれ異なる磁極面が対向配置され、
前記コリメータ壁の湾曲壁によって仕切られた前記ビーム経路は、前記第１、第２磁石に沿う前記イオン通し孔の長手方向に直線的に並列配置され、
前記第１湾曲経路と第２湾曲経路は、ビームの軌道に沿って形成される連続したビーム経路となり、各ビーム経路を構成する前記湾曲壁が、それぞれ隣り合うビーム経路の一方の湾曲壁を構成していることを特徴とする質量分離フィルタ。
【請求項２】
入射するイオンの方向と出射するイオンの方向は、ビーム軸と同方向であることを特徴とする請求項１記載の質量分離フィルタ。
【請求項３】
第２磁界の強さは、第１磁界の強さとほぼ同一であり、第１磁界によるイオンの変位量と同一の距離だけ偏向させる磁束密度を有することを特徴とする請求項１記載の質量分離フィルタ。
【請求項４】
第１、第２磁石は、永久磁石であることを特徴とする請求項１記載の質量分離フィルタ。
【請求項５】
第１、第２磁石は、冷却水が流れる金属管に内装されることを特徴とする請求項１記載の質量分離フィルタ。
【請求項６】
コリメータ壁は、第１、第２湾曲経路を形成するために、対向配置された少なくとも一対の湾曲壁と一対の側部壁とを含むことを特徴とする請求項１記載の質量分離フィルタ。
【請求項７】
第１、第２磁石は、前記一対の側部壁の両外側に設けられかつそれぞれ異なる磁極性面が対向するように配置したことを特徴とする請求項６記載の質量分離フィルタ。
【請求項８】
コリメータ壁は、グラファイトから作られることを特徴とする請求項１または請求項６記載の質量分離フィルタ。
【請求項９】
コリメータ壁は、薄い金属板から作られることを特徴とする請求項１記載の質量分離フィルタ。
【請求項１０】
コリメータ壁の厚さは、コリメータ壁間の空間の１０％未満の値であることを特徴とする請求項１記載の質量分離フィルタ。
【請求項１１】
コリメータ壁は、２つの結合した円弧からなる略Ｓ字形状であり、前記２つの円弧は、２つの結合点で互いに接しており、前記コリメータ壁の末端で互いに平行かつビーム軸に対しても平行であることを特徴とする請求項１記載の質量分離フィルタ。
【請求項１２】
コリメータ壁により形成されるビーム経路は、略Ｓ字形状で、磁界に対して非平行であることを特徴とする請求項１記載の質量分離フィルタ。
【請求項１３】
第１磁界により偏向され、第２磁界により逆偏向されたビームの軌道は、質量分離フィルタへのビームの入射開口位置に対してビームの出射開口位置をシフトするように構成され、前記２つの開口位置は、偏向を受けなかった直進ビームが直接出射されないように、イオンビームの軸方向から見てオーバーラップしないことを特徴とする請求項１記載の質量分離フィルタ。
【請求項１４】
第１磁界により偏向され、第２磁界により逆偏向されたビームの軌道は、質量分離フィルタへのビームの入射開口位置に対してビームの出射開口位置をシフトするように構成され、前記２つの開口位置は、直進ビームの通過を可能にするために、イオンビームの軸方向から見てオーバーラップしていることを特徴とする請求項１記載の質量分離フィルタ。
【請求項１５】
イオンのリボンビームを通過させる所定の間隔で並列に複数配置された直線状の多孔板電極のスリットと、該スリットを通過した前記リボンビームのビーム軸に沿って直列配置される第１、第２磁石により、前記ビーム軸に対して直交しかつ互いに平行かつ逆向きの第１、第２磁界を形成し、
前記多孔板電極の前記スリットの配置間隔に対応して形成される質量分離電極のイオン通し孔に対して、直列配置された前記第１、第２磁石の組のそれぞれの磁極面が対向配置され、
前記第１、第２磁石に沿う前記イオン通し孔の長手方向に直線的に並列配置されるビーム経路が、コリメータ壁の湾曲壁によって仕切られて、ビームの軌道に沿って連続した第１湾曲経路と第２湾曲経路を形成し、
この連続したビーム経路は、各ビーム経路を構成する前記湾曲壁が、それぞれ隣り合うビーム経路の一方の湾曲壁を構成し、
複数のコリメータ壁により、前記リボンビームを複数のイオンビーム群に分割して前記ビーム経路ごとに質量分離するために、前記第１、第２磁界内で前記第１磁界により偏向された第１湾曲経路から、前記第２磁界により前記第１磁界とは逆方向に偏向された第２湾曲経路に沿って、所望の質量のイオンが選択されて通過するようにしたイオンビームの質量分離方法。
【請求項１６】
前記コリメータ壁は、互いに対向配置される少なくとも一対の湾曲壁と一対の側部壁からなり、
前記コリメータ壁により形成された第１、第２湾曲経路に沿って前記イオンビームを前記磁界内で偏向させ、直進するイオンおよび不要なイオンを前記コリメータ壁に衝突させ、選択された所望の質量のイオンを通過するようにしたことを特徴とする請求項１５に記載の質量分離方法。
【請求項１７】
前記対向配置された一対の側部壁は、この側部壁の両外側に、前記磁界を形成する磁石を異なる極性面が対向するように配置したことを特徴とする請求項１６の質量分離方法。
【請求項１８】
(a) プラズマ室と、
(b) 制御された流量で前記プラズマ室内にガスを導入する手段と、
(c) 前記プラズマ室内で前記ガスをイオン化するためのエネルギー源と、
(d) 複数の細長いスリットを有するプラズマ室壁を形成し、前記スリットから正のイオンのリボンビームが引き出される多孔板電極であるプラズマ電極と、
(e) 前記プラズマ電極を通過して前記イオンを引き出すために、前記プラズマ電極に対して低電位にあって平行に配置されており、かつ前記イオンの運動エネルギーを制御可能な値に設定するための引出電極と、
(f) 所望の質量または質量範囲を選択するために、前記プラズマ電極の複数のスリットに対して平行に配置されかつ前記引出電極と整合した複数の開口を有する質量分離電極である質量分離フィルタとを含んでいる大面積イオン源において、
前記質量分離フィルタは、
所定の間隔で並列に複数配置された直線状の前記多孔板電極のスリットと、該スリットを通過した前記リボンビームのビーム軸に対して直交する方向の第１磁界を形成する第１磁石と、
前記ビーム軸に沿って前記第１磁石に直列配置され、前記ビーム軸に直交しかつ前記第１磁界と平行で逆向きの第２磁界を形成する第２磁石と、
前記第１、第２磁界内に形成され、前記第１磁界により偏向された第１湾曲経路から、前記第２磁界により前記第１磁界とは逆方向に偏向された第２湾曲経路に沿って、選択された所望の質量のイオンが通過できるように、前記第１、第２湾曲経路を有するビーム経路を形成するための複数のコリメータ壁とを有する前記多孔板電極に続いて配置されるイオン通し孔を形成した質量分離電極を含み、
前記複数のコリメータ壁により、前記リボンビームを複数のイオンビーム群に分割して前記複数のビーム経路ごとに質量分離するために、
前記ビーム軸に沿って直列配置された前記第１、第２磁石の組は、前記スリットの配置間隔に対応して形成される前記イオン通し孔に対して、それぞれ異なる磁極面が対向配置され、
前記コリメータ壁の湾曲壁によって仕切られた前記ビーム経路は、前記第１、第２磁石に沿う前記イオン通し孔の長手方向に直線的に並列配置され、
前記第１湾曲経路と第２湾曲経路は、ビームの軌道に沿って形成される連続した前記ビーム経路となり、各ビーム経路を構成する前記湾曲壁が、それぞれ隣り合うビーム経路の一方の湾曲壁を構成していることを特徴とするイオン源。
【請求項１９】
質量分離フィルタは、イオン源の引出電極、加速電極、および接地電極のいずれかに組み込まれることを特徴とする請求項１８記載のイオン源。
【請求項２０】
イオンビームは、細長い断面を有するリボンビームであることを特徴とする請求項１８記載のイオン源。
【請求項２１】
質量分離フィルタは、プラズマ電極と引出電極との間に平行配置されていることを特徴とする請求項１８記載のイオン源。
【請求項２２】
プラズマ電極は、プラズマ内を貫く磁界を減少するために、磁気シールド用の電磁軟鉄から作られていることを特徴とする請求項１８記載のイオン源。
【請求項２３】
プラズマ電極から質量分離フィルタの入射面までの距離は、第１、第２磁石間のギャップの少なくとも２倍であることを特徴とする請求項１８記載のイオン源。
【請求項２４】
コリメータ壁は、２つの結合した円弧からなる略Ｓ字形状であり、前記２つの円弧は、２つの結合点で互いに接しており、前記コリメータ壁の末端で互いに平行かつビーム軸に対しても平行であることを特徴とする請求項１８記載のイオン源。
【請求項２５】
前記円弧の曲率半径は、イオンの質量をｍ、イオンの加速エネルギーをＥ（eV)、軌道半径をＲ(cm)、磁束密度をＢ(ガウス）とすると、
Ｒ  ＝  １４４（ｍＥ）1/2＊(１/Ｂ）        （1）
で与えられることを特徴とする請求項２４記載のイオン源。
【請求項２６】
コリメータ壁は、プラズマ電極の開口の間隔と同一ピッチを有することを特徴とする請求項１８記載のイオン源。
【請求項２７】
第１湾曲経路と第２湾曲経路は、ビームの軌道に沿って形成される連続したビーム経路であり、その配置の間隔をプラズマ電極の開口の間隔と同一ピッチとしたことを特徴とする請求項１８記載のイオン源。
【請求項２８】
コリメータ壁は、所定の間隔で配置した直線状の前記第１、第２磁石の組の間に、プラズマ電極の開口の並びの方向に合わせて、等間隔で一列に配置されていることを特徴とする請求項１８記載のイオン源。
【請求項２９】
引出電極に供給される引出電圧は、イオンビームによるドーズ量を直接ビーム測定することにより制御されることを特徴とする請求項１８記載のイオン源。
【請求項３０】
前記引出電圧は、イオンビームを均一にするために時間的に変化する小さい交流成分が加えられた直流電圧であることを特徴とする請求項２９記載のイオン源。
【発明の詳細な説明】
【０００１】
【発明の属する技術分野】
本発明は、一般的に、イオン注入装置に用いるイオン源、特に、イオン源に設けられて所望の質量のイオンを取り出すための質量分離フィルタに関する。
【０００２】
【従来の技術】
イオン源は、真空容器に導入されたガスをプラズマ化しイオンビームとして取り出すものである。半導体、液晶用ＴＦＴ、太陽電池などへの不純物導入、あるいはイオンビームによるエッチング、スパッタによる加工、さらには、イオンによるデポジション、改質などの分野において用いられる。
【０００３】
特に、材料の改質と半導体のイオン注入において、大面積イオンビームの使用が盛んに行われ、フラットパネル等の製品を大規模生産する際に高い生産性を得ている。
【０００４】
一般的なイオン注入において、半導体ウエハに対するイオンビームは、これらのものよりは小さいものであり、そのイオンビームは、質量分析された１つのイオン種のものだけをその基板に注入する。この望ましい方法において、大面積イオンビームを使用するためには、全体的にスケールアップすることが必要となるが、装置の大型化は困難である。また、ウエハのために使用されるセクターダイポール磁石は、高価で大きいものになってしまうという欠点がある。
【０００５】
従来の技術としては、日本特許公報第２９２０８４７号に開示された質量分離装置がある。この装置は、図７に示すように、互いに軸線が平行な多数の透過孔３０、・・を備えた入射板３１と、この入射板に平行に配置されかつ入射板３１の透過孔の軸線に対して所定の角度θをなす軸線を有する、多数の透過孔３２を有するイオン透過板３３と、それぞれの透過孔の軸線に対して、ともに垂直に磁界を発生させる磁界発生手段Ｂとを備えている。
【０００６】
この質量分離装置では、イオンの曲がる角度の違いだけで質量分離を行うため、広い面積にわたって同時に質量分離ができる。しかし、この装置では、入射透過板に入射するイオンの方向と、イオン透過板から出射するイオンの方向が異なるために、引出電極を介して通過するイオンビームの入射方向と出射方向を一致させることができず、プラズマ室の底部にプラズマ電極、引出電極、加速電極、接地電極を平行に配置して、所望の質量のイオンを一定の方向に引き出すことが難しい。
【０００７】
また、ヨーロッパ特許第１０９０４１１号明細書を参照すると、アイトケン(Aitken)による質量分析システムが開示されている。このシステムでは、ビーム軸に沿って順に置かれた２つのダイポール磁石が四極子型レンズを形作り、２つの磁石は、それらの磁界が非平行で、互いに逆方向となっており、ビーム軸に対して垂直となるように方向づけられている。そして、この四極子レンズは、プラズマ電極の中でスリットから引き出された線状のイオンビームを形成し、イオンは、そのレンズの出口部に線収束する。
【０００８】
したがって、イオンの質量に従ってこのフォーカス位置が変化するので、質量選択が可能になり、必要な質量のイオンを分離できる。しかし、この装置では、大きなスペースを必要とし、質量分離フィルタは、ビーム軌跡の方向に長く、そのビームがフィルタ内部に衝突するのを防止すべく、コリメイトされなければならないのでビームを平行に維持することが難しい。このため、リボンイオンビームの間隔を拡げなければならず、質量分離フィルタの横スペースを大きくする必要がある。
【０００９】
さらに、特開平５−８２０８３号（対応する米国特許第５１８９３０３号明細書）には、電界及び磁界の作用で質量分離するウイーンフィルタを用いた質量分離装置４０が開示されている。この装置は、図８(a)に示すように、イオン源出口側に、プラズマ電極４１、引出電極４２、加速電極４４、接地電極４５が配置されている。イオンの速度が低い段階にある引出電極４２は、引出電極４２aと質量分離電極４３からなり、引出電極４２aの各通し孔５２には、それぞれウイーンフィルタ５０が設けられる。
【００１０】
引出電極４２aは、その一部を拡大して、図８に示す縦断面(b)及び横断面(c)の詳細図から明らかなように、分割された電極板４６に対向配置された磁石４８を含み、ｘ方向の電界Ｅとｙ方向の磁界Ｂを発生するウイーンフィルタを構成する。さらに、引出電極４２ａのすぐ後方に、通し穴の位置に合致したあまり電圧のかかっていない質量分離電極４３を設けて、大面積のイオンビームの質量分離を可能にしている。この場合、所望の質量のイオンはそのまま通し穴を通過し、そうでない質量のイオンは通し穴を通過できず、過大過小質量のイオンも排除されるので、分解能が高く小型化も可能である。
【００１１】
しかし、ウイーンフィルタは、イオンを加速するために、ビーム方向に平行に印加される電界を加え、さらに電界と磁界によるフィルタ効果を生み出すビーム方向に垂直な電界も必要とする。また、そのプレート／電極領域の多くは、その交差した電界および磁界を生み出すための構成が必要であり、これは、ビームの輸送に関して電極の解放領域を制限するため、総ビーム電流を制限するとともに良好な均一性を得ることが難しい。
【００１２】
【発明が解決しようとする課題】
このような事情に鑑みて、本発明は、不必要なイオン種を選択的に除去するとともに、イオン源の電極構造を簡単にかつ小型化でき、所望の質量を有するイオンによる大面積イオンビームを生じさせるための質量分離フィルタとその質量分離方法およびこれを用いたイオン源を提供することを目的としている。
【００１３】
【課題を解決するための手段】
上記目的を達成するために、本発明は、各請求項に記載の構成を有する。本発明の質量分離フィルタは、イオンのリボンビームを通過させる所定の間隔で並列に複数配置された直線状の多孔板電極のスリットと、スリットを通過したリボンビームのビーム軸に対して直交する方向の第１磁界を形成する第１磁石と、ビーム軸に沿って第１磁石に連続して直列配置され、ビーム軸に直交しかつ前記第１磁界と平行で逆向きの第２磁界を形成する第２磁石と、第１、第２磁界内に形成され、第１磁界により偏向された第１湾曲経路から、第２磁界により第１磁界とは逆方向に偏向された第２湾曲経路に沿って、リボンビーム中の選択された所望の質量のイオンが通過できるように、第１、第２湾曲経路を有する複数のビーム経路を形成するための複数のコリメータ壁とを有する多孔板電極に続いて配置されるイオン通し孔を形成した質量分離電極を含み、複数のコリメータ壁により、リボンビームを複数のイオンビーム群に分割して複数のビーム経路ごとに質量分離するために、スリットの配置間隔に対応して形成される質量分離電極のイオン通し孔に対して、ビーム軸に沿って直列配置された第１、第２磁石の組は、それぞれ異なる磁極面が対向配置され、コリメータ壁の湾曲壁によって仕切られたビーム経路は、第１、第２磁石に沿うイオン通し孔の長手方向に直線的に並列配置され、第１湾曲経路と第２湾曲経路は、ビームの軌道に沿って形成される連続したビーム経路となり、この連続したビーム経路は、各ビーム経路を構成する前記湾曲壁が、それぞれ隣り合うビーム経路の一方の湾曲壁を構成することを特徴としている。
【００１４】
この構成によれば、リボンビームが所定の間隔で並列に配置された直線状のスリットを通過し、このスリットに対応して配置されたイオン通し孔がスリットの長手方向に沿ってコリメータ壁の湾曲壁によって仕切られて第１湾曲経路と第２湾曲経路を有するビーム経路を形成するので、リボンビームを複数のイオンビーム群に分割してビーム経路ごとに質量分離が行うことができる。また、連続したビーム経路によりイオンビームを発散させることなく、質量分離をフィルタを簡単な構造でかつ小型化することができる。さらに、第１湾曲経路と第２湾曲経路により、質量分離フィルタに入射するイオンを第１、第２磁石の磁界により逆向きに湾曲した経路を有するビーム経路を通じて、イオンの入射方向と出射方向をビーム軸と同方向に導くことから、質量分離フィルタを通過する総イオンビーム量を増加させて所望の質量のイオンのみを引き出すことができる。
【００１５】
また、本発明の大面積イオン源は、プラズマ室と、制御された流量でプラズマ室内にガスを導入する手段と、プラズマ室内でガスをイオン化するためのエネルギー源と、細長い開口を有するプラズマ室壁を形成し、前記開口から正のイオンが引き出されるプラズマ電極と、プラズマ電極を通過してイオンを引き出すために、プラズマ電極に対して低電位にあって平行に配置されており、かつイオンの運動エネルギーを制御可能な値に設定するための引出電極と、所望の質量または質量範囲を選択するために、プラズマ電極の後方に配置されかつ引出電極と整合した複数の開口を有する質量分離フィルタとを含み、この質量分離フィルタが、上述した請求項１に記載の構成を有することを特徴としている。
【００１６】
この構成によれば、イオン源の電極構造の配置を変えることなく、質量分離フィルタ内の第１、第２磁石による磁界の作用により、所望の質量のイオンをコリメート壁に沿って通過させ、不必要なイオン種を選択的に除去することができる。また、質量分離フィルタの構造は、第１、第２磁石とコリメータ壁により形成されるので、その構造が簡単となる。また、入射するイオンは、磁界のみの偏向作用であるため、磁界と電界との相互作用による影響が生じないことから、所望の質量のイオンを取り出すための制御が容易であり、さらに、一方向に湾曲した経路を逆方向に戻す形で湾曲するビーム経路を実現できるので、イオンの集束を良好にし、アスペクト比の高いスリットを通過する大面積イオンビームにおいて使用する質量分離フィルタとして小型化することも可能である。
【００１７】
本発明の好ましい実施形態によれば、第１、第２磁石は、永久磁石であり、冷却水が流れる金属管に内装されている。また、コリメータ壁により形成されるビーム経路は、略Ｓ字形状で、磁界に対して非平行となっている。さらに、コリメータ壁は、第１、第２湾曲経路を形成するために、対向配置された少なくとも一対の湾曲壁と一対の側部壁とを有しており、薄い金属板またはグラファイトから作られる。そして、グラファイトの場合には、固体のグラファイトを機械加工して、あるいは、柔軟なグラファイトシートから製造することができる。
【００１８】
また、本発明の他の構成によれば、第１、第２磁界により偏向したビームの軌道は、質量分離フィルタへのビームの入射開口位置に対してビームの出射開口位置をシフトするように構成され、前記２つの開口位置は、直進ビームの通過を可能にするために、イオンビームの軸方向から見てオーバーラップさせることにより、確実にイオンビームから不要なイオンや電子等を分離することができる。
また、これとは異なり、２つの開口位置をオーバーラップさせた場合、変更を受けなかった直進ビームが直接出射する少ない開口シフト量とすることにより、通過する総イオンビーム量を増加させることができる。
【００１９】
さらに、本発明に係る質量分離方法によれば、イオンビームのビーム軸に直交する第１磁界または前記ビーム軸に直交しかつ互いに逆向きで平行な第１、第２磁界を形成し、互いに対向配置される少なくとも一対の湾曲壁と一対の側部壁とからなるコリメータ壁により形成された湾曲経路に沿って前記イオンビームを前記磁界内で偏向させ、直進するイオンおよび不要なイオンを前記コリメータ壁に衝突させ、選択された所望の質量のイオンを通過するようにしたので、簡単な磁石構成で、所望の質量を有するイオンを湾曲したビーム経路によって選択でき、イオンの集束を良好にし、アスペクト比の高いスリットを通過させる大面積イオンビームの質量分離を実施できる。
【００２０】
【発明の実施の形態】
本発明の実施の形態を図面に基づいて説明する。図１は、本発明に係る質量分離フィルタを用いたイオン源１０の概略断面構成図であり、図２および図３は、上記イオン源において、使用される本発明の質量分離フィルタ２０の基本構造を示す概略斜視図とその正面図である。
【００２１】
図１において、本発明のイオン源１０は、大きな表面積の加工物をイオン注入するのに効果的であるリボンビームを引き出すためのものであり、従来の装置、例えば、図８(a)で示すものと同様に、イオン源１０の出口に多孔板電極１〜４が５枚配置されている。イオン源のプラズマ室１１は、真空に排気することができ、ガス入口１２からイオン化すべきガスが導入できるようになっている。そのため、プラズマ室１１の頂部壁に、ガス入口１２とエキサイタ１４が設けられる。
【００２２】
このエキサイタ（エネルギー源）１４が励起されると、ガス入口１２から供給されたイオン源ガスがイオン化してプラズマを形成する。エキサイタ１４は、この例では、ＲＦ発生装置１５からの無線周波信号により電子をイオン化するＲＦアンテナ１６を用いるが、熱イオン放出による電子を放出するタングステンフィラメントとして形成することもできる。
【００２３】
プラズマ室１１の壁の外側には、カスプ磁界を作るための磁石１８が設けてある。これはバケット型イオン源の例を示している。その他のイオン源に対しても本発明を同様に適用することができる。
【００２４】
多孔板電極は、上から順にプラズマ電極１、引出電極２、加速電極３または抑制電極、及び接地電極４から構成され、引出電極２は、質量分離電極２ａと後段引出電極２ｂからなる。なお、質量分離電極と後段引出電極は、その前後関係が逆位置となるように配置してもよく、また、質量分離電極２ａを加速電極３または接地電極４に組み込むことも可能である。これらの電極は、互いに平行に配置され、それぞれ多数のスリット孔（図４参照）６を有する多孔板で構成される。イオン通し孔である各スリット６ａ、６ｂ、６ｃ、６ｄ、６ｅは、イオンの進行方向Ｐに一致するように配置されている。
【００２５】
プラズマ電極１は、プラズマの中から正イオンのみを取り出すものであり、ここでは、プラズマ内を貫く磁界を減少するために、磁気シールド用の電磁軟鉄から作られている。プラズマ電極１とアースの間には、可変の直流電源ａ、ｂが接続され、プラズマ電極１とプラズマ室壁１１aとの間に可変の直流電源ｃが接続されている。従って、プラズマ電極１は、アースに対しては正の高電位となり、プラズマ室１１よりは低い電圧になっている。引出電極２は電源ａによってプラズマ電極１より低い電位であり、質量分離電極２ａと後段引出電極２ｂは同電位に保たれている。
【００２６】
電圧の分布に関する一例を示す。プラズマ電極が１０ｋＶとすると、引出電極の電位は９．９〜９．６ｋＶ、質量分離電極の電位は９．７〜８ｋＶ、加速電極の電位は−０．５〜−１ｋＶ、接地電極は０Ｖである。つまり質量分離電極３まではイオンのエネルギ−が低く速度は遅いということである。プラズマ電極の電位が変わると、その他の質量分離電極の電位もそれに追随して変わる。引出電極２はプラズマ電極１の後方にあって、プラズマ電極１のイオン通し孔からイオンを引き出す働きをする。この点は従来のものと同じである。
【００２７】
加速電極４はプラズマ電極１に対してイオンを加速する方向に高い電圧がかかっているので加速電極という。これは電源ｄによるものである。実際には加速電極４はアースに対して負に保たれる。これはタ−ゲットにイオンが衝突することによって生じた電子がプラズマ室１１の方へ逆流するのを防ぐためである。
【００２８】
接地電極５は接地されている。接地電極５からタ−ゲット（図示せず）までは電界が存在しないので等速直進運動する。イオンが加速されるのは、引出電極２と加速電極４の間である。特に強く加速されるのは、後段引出電極２ｂと加速電極４の間である。
【００２９】
プラズマ室１１と、半導体ウエハ等の加工部材を処理する処理室１７は、連結チャンバ１９を介して接続され、プラズマ室１１を囲むイオン源ハウジング１３と連結チャンバ１９との間には、絶縁ブッシュ等による絶縁体４０により電気的に絶縁する。この絶縁体４０は、必要とされる励起電圧からイオン源ハウジング１３を絶縁しており、この励起電圧がプラズマ室内にイオンを発生し、この室から放出されたイオンを加速する。
【００３０】
本発明のイオン源では、引出電極に供給される引出電圧は、フィルタ内に存在する不必要なイオンの量に対して必要なイオンの量が最大となるように、自動的に調整される。この場合の制御は、イオンビームによるドーズ量を直接ビーム測定により得ることによって行われる。また、引出電圧は、イオンビームを均一にするために時間的に変化する小さい交流成分が加えられた直流電圧を用いてイオンビームの均一性を改善することが可能である。
【００３１】
このようなイオン源１０において、本発明の質量分離フィルタ２０は、一般的に、引出電極２に設けられるものであり、図２、図３に示すように、イオンビームのビーム軸２１に対して直交する方向の第１磁界＋Ｂを形成する第１磁石２２と、ビーム軸２１に沿って第１磁石２２に直列配置され、前記ビーム軸２１に直交しかつ前記第１磁界＋Ｂと平行で逆向きの第２磁界−Ｂを形成する第２磁石２３とを有する。この第１、第２磁界が形成される領域内では、プラズマ電極１を通過したイオンがビーム軸２１に沿って引出電極２に入射する。このイオンは、最初、第１磁石２２により第１湾曲経路２２ａに沿って偏向する。
【００３２】
この偏向量については、イオンビームは、一様な磁界中では、荷電粒子は円運動を行い、イオンの質量をｍ、イオンの加速エネルギーをＥ（eV)、軌道半径をr(cm)、磁束密度をＢ(ガウス）とすると、
Ｒ  ＝  １４４（ｍＥ）1/2＊(１/Ｂ）        （1）
からなる関係が成り立つ。
【００３３】
第１磁石２２の磁界内を通過したイオンは、次に、第２磁石２３の磁界内に入るので、今度は、第１磁界＋Ｂとは逆方向に湾曲する第２湾曲経路２３ａに沿って運動する。この場合も上式（1）が成立し、第１、第２湾曲経路を有するビーム経路２５が形成される。
【００３４】
プラズマ電極１を通過して質量分離電極２ａの第１磁石に入射するイオンは、ビーム軸２１に対して直交する第１磁界＋Ｂの影響を受け、上記式（1）に従う円軌道に沿って偏向する。このため、所望の質量のイオンよりも軽いイオンまたは重いイオンは、その質量の違いにより円軌道が異なり、湾曲経路の側壁、即ち、コリメータ壁２６に衝突する。さらに、このことは、第２磁石２３においても同様に、逆方向の第２磁界−Ｂの影響により、湾曲経路内でイオンが湾曲し、所望のイオンのみが、第１、第２湾曲経路２２ａ、２３ａに沿って偏向し、コリメータ壁２６に衝突することなくビーム経路２５を通過できる。
【００３５】
従って、このビーム経路２５を所望の質量のイオンが通過できるように、湾曲経路の曲率を決めると、不必要なイオン種を選択的に除去して、選択された所望の質量のイオンだけを通過させることができる。本発明の実施例で示すコリメータ壁（図４a参照）は、湾曲壁２６の他に、磁石とそのカバー等で構成される側部壁２９aも含んでいる。コリメータ壁の最小構成は、一対の湾曲壁と一対の側部壁とからなり、これらの壁面に囲まれた通路が湾曲したビーム経路を形成する。
【００３６】
本発明では、このビーム経路２５の曲線に一致する形状のコリメータ壁２６を第１、第２磁界内に形成する。このコリメータ壁２６は、図２のように、第１、第２磁石２２，２３内に、例えば、Ｓ字形状の溝として形成することもできるし、或いは、図４(a)に示すように、第１、第２磁石の組を順次所定の間隔で配置し、第１、第２磁石の組の間に、等間隔でラインに沿って一列に、湾曲形状の板片を配置した構造であっても良い。
【００３７】
また、ビーム経路の形状は、入射するイオンと出射するイオンとの進行方向がビーム軸と同方向であれば良いので、第１、第２磁石２２，２３の上下の各磁極の配列を逆にして、コリメータ壁を逆Ｓ字形状に構成することもできる。さらに、本実施形態では、第１、第２磁界の大きさを等しくしたが、磁界の方向が逆方向であれば、磁界の大きさが相異なるものとすることも可能である。また、本発明ではビーム経路を一対の側部壁の両外側に磁界を形成する第１、第２磁石を異なる磁極面が対向するように配置しているが、これを第１磁石の湾曲経路によって質量分離が可能になる場合、例えば、ビーム経路の入射開口位置と出射開口位置との間のシフト量を調整して、所望の質量のイオンを選択的に分離できれば、単一磁界であっても良い。
【００３８】
図４(a)は、本発明の質量分離フィルタ２０の具体例であって、プラズマ電極１の下方に置かれた引出電極２に質量分離フィルタを組み込んだ状態を示す斜視図である。また、図４(b)は、図１に示す本発明のイオン源における５枚の電極構造の配置を側面から見た拡大部分図である。
【００３９】
図４(b)において、プラズマ電極１、引出電極２、質量分離電極３、加速電極４、接地電極５のイオン通しスリット６ａ、６ｂ、６ｃ、６ｄ、６ｅは、軸方向に一致するが、直径やその長さが一般的に相違する。特に、質量分離電極３の孔は、小さくなっている。また、プラズマ電極から質量分離フィルタの入射面までの距離は、第１、第２磁石間のギャップの少なくとも２倍であることが望ましい。本発明の質量分離フィルタは、低電位の引出電極に設けることが望ましいが、他の加速電極および接地電極のいずれかに組み込むことが可能である。
【００４０】
本発明に係る引出電極における質量分離電極２は、プラズマ電極１のスリット６ａの間隔にあわせて、複数の第１、第２磁石の組が順次並んで配置されている。第１、第２磁石２２，２３は、横に長く伸びた棒状の永久磁石で構成され、各々磁極（Ｎ，Ｓ）を逆にして上下に積み重ねている。第１、第２磁界の強さは、ほぼ同一であり、第２磁界は、第１磁界によるイオンの変位量と同一の距離だけ偏向させる磁束密度を有する。
【００４１】
図４及び図５において、第１、第２磁石２２，２３は、それぞれステンレス等の角型金属管２４内に収納され、その外側をグラファイトの側壁２９ａが取り囲んでいる。このグラファイトカバー２９間には、断面略Ｓ字形状のコリメータ壁２６が一直線上に所定の間隔で配置される。コリメータ壁２６に覆われた第１、第２磁石の組は、それぞれ異なる磁極面が対向するように配置される。コリメータ壁の各列は、プラズマ電極の開口（スリット）の間隔と同一ピッチに配置される。また、コリメータ壁の厚さは、コリメータ壁間の空間の１０％未満の値であることが望ましい。
【００４２】
本発明の引出電極２における電極構造の一例では、図５に示すように、入口壁２７と出口壁２８の間に第１、第２磁石を各々収容するステンレス管２４を配置し、この金属管の一方の側壁にコリメータ壁２６の連結端部２６ａが配置され、他方の側壁にはグラファイト仕切壁２９bが配置されている。これにより、各一対の磁石の組は、金属管毎に取り出し可能であり、また、各コリメータ壁２６も連結端部２６ａを介して一体に組み立てられているので、一列に並んだコリメータ壁２６も磁石の組と同様に、引出電極２の手前側に一体に取り出すことができ、各構成要素の分解・取付けが容易である。
【００４３】
第１、第２磁石２２，２３は、図６に示すように、２つの磁石２２，２３を上下に接触させた形で１つの金属管２４に収納する形式であってもよい。また、この金属管２４は、二重の金属管２４a、２４bによって構成し、金属管の間の空間を通して冷却水を流すようにすることが好ましい。
【００４４】
【発明の効果】
以上説明したことから明らかなように、本発明は、イオンビームのビーム軸に直交する第１磁界またはビーム軸に直交しかつ互いに逆向きで平行な第１、第２磁界を形成することによって、入射するイオンと出射するイオンの進行方向をビーム軸と同方向にすることができ、イオン源の各電極配置を容易に整合させることが可能になり、また、湾曲したビーム経路を、湾曲壁と側部壁とから構成されるコリメータ壁により形成し、このコリメータ壁に沿って所望の質量のイオンのみを通過させることにより、不必要なイオンを排除することができる。しかも、イオンビームのビーム経路の入射開口位置と出射開口位置とのシフト量を調整することにより、イオンビームから不要なイオンや電子等を分離し、あるいは、通過する総イオンビーム量を増加させることができる。
【００４５】
また、質量分離フィルタの構造は、第１、第２磁石とコリメータ壁による形成されるので、その構造が簡単であり、かつ磁界のみの偏向作用であるため、磁界と電界との相互作用による影響が発生せず、コリメータの設計が容易である。さらに、本発明によれば、一方向に湾曲した経路を逆方向に戻す形で湾曲するビーム経路を実現できるので、イオンの集束を良好にし、アスペクト比の高いスリットを通過する大面積イオンビームにおいて使用する質量分離フィルタとして小型化することも可能である。
【００４６】
上述した記述は、本発明の一例を示すものであり、本発明は、個々に記載の特定の実施形態に制限されるものではなく、種々の再構成、修正、及び変更は、特許請求の範囲及びこれらと等価の構成によって定められる本発明の範囲から逸脱しない上記記載に関連して可能である。
【図面の簡単な説明】
【図１】図１は、本発明に係る質量分離装置を備えたイオン源を示す概略断面構成図である。
【図２】図２は、本発明の質量分離装置における電極構造を示す概略斜視図である。
【図３】図３は、図２の正面断面図である。
【図４】図４(a)は、図１のイオン源に使用した質量分離フィルタの構成を示す斜視図であり、図４(b)は、図１で示す５枚の電極板の側面図を示す図である。
【図５】図５は、引出電極において、質量分離を行うための磁石部分の構成を示す詳細断面図である。
【図６】図６は、別の実施形態における磁石部分の構成を示すの断面図である。
【図７】図７は、従来例の質量分離装置における電極配列を示す概略図である。
【図８】図８(a)は、別の従来例の質量分離装置を備えたイオン源の断面構成図であり、図８(b)(c)は、図８(a)での引出電極に配置された磁石と通し孔との配置関係を示す縦および横断面構成図である。
【符号の説明】
１    プラズマ電極
２    引出電極
６a〜６e  通し孔（開口）
１０  イオン源
１１  プラズマ室
１２  ガス入口
１４  エキサイタ
２０  質量分離フィルタ
２１  ビーム軸
２２  第１磁石
２２a  第１湾曲経路
２３  第２磁石
２３a  第２湾曲経路
２４  金属管
２５  ビーム経路
２６  コリメータ壁
【図１】
0003713683.tif 000002
【図２】
0003713683.tif 000003
【図３】
0003713683.tif 000004
【図４】
0003713683.tif 000005
【図５】
0003713683.tif 000006
【図６】
0003713683.tif 000007
【図７】
0003713683.tif 000008
【図８】
0003713683.tif 000009